(57)【特許請求の範囲】
【請求項１】
平面視において行列状に配された複数の光源と、
板面上に複数の前記光源が取り付けられてなる光源基板と、
少なくとも平面視矩形状をなす板状部を有し、前記光源を露出する形で該板状部上に前記光源基板が取り付けられてなるシャーシと、
前記光源基板及び前記板状部上に跨って敷設され、前記光源と重畳する部位に前記光源が挿通される光源挿通孔が設けられた反射シートであって、前記板状部に沿って延在するとともに該板状部の大部分を覆う大きさの底部と、該底部の外端から前記光源の光出射側に立ち上がるとともに該底部に対して傾斜状をなす立ち上がり部と、を有し、最外周に配された前記光源の斜め方向側における前記立ち上がり部の傾斜角度が、最外周に配された前記光源の行方向側又は列方向側における前記立ち上がり部の傾斜角度よりも大きなものとされた反射シートと、
を備える照明装置。
【請求項２】
前記反射シートは、平面視において、最外周に配された前記光源の行方向側又は列方向側に位置する前記底部と前記立ち上がり部との間の前記境界線が、最外周に配された前記光源の斜め方向側に位置する前記底部と前記立ち上がり部との間の前記境界線よりも、該境界線と前記板状部の端縁との間の距離が大きいものとされている、請求項１に記載の照明装置。
【請求項３】
前記底部と前記立ち上がり部との間の境界線が平面視において凹凸状とされている、請求項１又は請求項２に記載の照明装置。
【請求項４】
前記板状部の四隅において、前記底部と前記立ち上がり部との間の境界線と前記板状部の端縁との間の距離が最も小さいものとされている、請求項１から請求項３のいずれか１項に記載の照明装置。
【請求項５】
前記反射シートの前記立ち上がり部がプラスチック製とされている、請求項１から請求項４のいずれか１項に記載の照明装置。
【請求項６】
前記板状部の端縁から前記光源の光出射側に立ち上がる側板と、
前記側板の立ち上がり先端側に配された拡散板と、
前記光源基板上に配され、前記板状部と前記光源基板と前記反射シートとを貫通するとともに、その先端が前記拡散板と当接して該拡散板を支持する支持ピンと、をさらに備える、請求項１から請求項５のいずれか１項に記載の照明装置。
【請求項７】
前記光源の各々に設けられ、前記光源の光出射側を覆うと共に、前記光源からの光を拡散する拡散レンズをさらに備える、請求項１から請求項６のいずれか１項に記載の照明装置。
【請求項８】
請求項１から請求項７のいずれか１項に記載の照明装置からの光を利用して表示を行う表示パネルを備える表示装置。
【請求項９】
前記表示パネルが液晶を用いた液晶パネルである、請求項８に記載の表示装置。
【請求項１０】
請求項８又は請求項９に記載の表示装置を備える、テレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。このようなバックライト装置の一例として、液晶パネルに対してその背面から光を直接供給する直下型のバックライト装置が知られている。
【０００３】
直下型のバックライト装置において、光源から出射されて表示面とは反対側に向かった光を表示面側へ反射させるための反射シートが、光源基板上及び筺体としてのシャーシの底板上に敷設された構成が知られている。このような構成のバックライト装置では、通常、反射シートの外周部が光源の光出射側に立ち上がる傾斜状とされている。
【０００４】
ところで、上記のような反射シートを備える直下型のバックライト装置では、通常、ＬＥＤ等の光源がシャーシの底板上に行列状に配される。このような構成とされていると、バックライト装置の液晶パネルの表示面において最外周に配された光源の斜め方向側と重畳する部位は最外周に配された光源の行方向側及び列方向側と重畳する部位よりも光源から離れることとなるので、前者が暗部として、後者が明部として、液晶パネルの表示面の外周部に表示され、液晶パネルの表示面の外周部に輝度ムラが生じることがある。
【０００５】
液晶パネルの表示面の外周部に生じるこのような輝度ムラを軽減できるバックライト装置が、例えば特許文献１に開示されている。このバックライト装置は、シャーシの底板上に複数の冷陰極管が並列して配されるとともに、液晶パネルの四隅の背後にそれぞれＬＥＤが配された構成とされている。このバックライト装置では、液晶パネルの四隅の背後にＬＥＤが配されることによって、液晶パネルの表示面における外周部のうち液晶パネルの四隅と重畳する部位の輝度が向上し、当該部位と液晶パネルの表示面の外周部における他の明部との間の輝度の差が軽減される。これにより、液晶パネルの表示面の外周部における輝度ムラが軽減される。
【先行技術文献】
【特許文献】
【０００６】
【特許文献１】特開２０１０−２１０７５０号公報
【発明の概要】
【発明が解決しようとする課題】
【０００７】
しかしながら、上記の特許文献１のバックライト装置では、液晶パネルの表示面の外周部における液晶パネルの四隅と重畳する部位の輝度が向上されるのみであり、液晶パネルの表示面の外周部における他の暗部の輝度を向上させることができない。即ち、液晶パネルの表示面の外周部全域において明部と暗部の輝度の差を軽減させることができない。このため、液晶パネルの表示面の外周部における輝度ムラを十分に防止ないし抑制することができない。さらに、液晶パネルの四隅の背後に別途ＬＥＤを要することから部材コストが増加し、製造工程も複雑なものとなる。
【０００８】
本明細書で開示される技術は、上記の課題に鑑みて創作されたものである。本明細書で開示される技術は、光源を別途配することなく、表示面の外周部における輝度ムラを防止ないし抑制可能な直下型の照明装置を提供することを目的とする。
【課題を解決するための手段】
【０００９】
本明細書で開示される技術は、平面視において行列状に配された複数の光源と、板面上に複数の前記光源が取り付けられてなる光源基板と、少なくとも平面視矩形状をなす板状部を有し、前記光源を露出する形で該板状部上に前記光源基板が取り付けられてなるシャーシと、前記光源基板及び前記板状部上に跨って敷設され、前記光源と重畳する部位に前記光源が挿通される光源挿通孔が設けられた反射シートであって、前記板状部に沿って延在するとともに該板状部の大部分を覆う大きさの底部と、該底部の外端から前記光源の光出射側に立ち上がるとともに該底部に対して傾斜状をなす立ち上がり部と、を有し、最外周に配された前記光源の斜め方向側における前記立ち上がり部の傾斜角度が、最外周に配された前記光源の行方向側又は列方向側における前記立ち上がり部の傾斜角度よりも大きなものとされた反射シートと、を備える照明装置に関する。
【００１０】
このような照明装置によれば、最外周に配された光源の斜め方向側では、立ち上がり部の傾斜角度が大きいことから、立ち上がり部によって反射される光がその直上へ向かうものとなる。これにより、表示面において最外周に配された光源の斜め方向側と重畳する部位の輝度を向上させることができ、その結果、表示面の端部において、最外周に配された光源の斜め方向側と重畳する部位と最外周に配された光源の行方向側及び列方向側と重畳する部位との間における輝度の差が軽減されるので、光源を別途配することなく、表示面の外周部における輝度ムラを防止ないし抑制することができる。
【００１１】
前記反射シートは、平面視において、最外周に配された前記光源の行方向側又は列方向側に位置する前記底部と前記立ち上がり部との間の前記境界線が、最外周に配された前記光源の斜め方向側に位置する前記底部と前記立ち上がり部との間の前記境界線よりも、該境界線と前記板状部の端縁との間の距離が大きいものとされていてもよい。
この構成によると、傾斜角度が大きな立ち上がり部と傾斜角度が小さな立ち上がり部との間で立ち上がり先端を一致させることができるので、反射シートの具体的な構成を実現することができる。
【００１２】
前記底部と前記立ち上がり部との間の境界線が平面視において凹凸状とされていてもよい。
この構成によると、境界線が平面視において波線状等とされる場合に比して反射シートを設計し易いものとすることができ、さらに、成形し易いものとすることができる。
【００１３】
前記板状部の四隅において、前記底部と前記立ち上がり部との間の境界線と前記板状部の端縁との間の距離が最も小さいものとされていてもよい。
この構成によると、板状部の四隅における反射シートの具体的な形状を実現することができる。
【００１４】
前記反射シートの前記立ち上がり部がプラスチック製とされていてもよい。
この構成によると、傾斜角度が異なる立ち上がり部を成形し易いものとすることができるとともに、立ち上がり部の剛性を高めることができる。
【００１５】
前記板状部の端縁から前記光源の光出射側に立ち上がる側板と、前記側板の立ち上がり先端側に配された拡散板と、前記光源基板上に配され、前記板状部と前記光源基板と前記反射シートとを貫通するとともに、その先端が前記拡散板と当接して該拡散板を支持する支持ピンと、をさらに備えてもよい。
この構成によると、拡散板によって光源からの光を光出射側に効果的に拡散させることができるとともに、支持ピンによって拡散板が効果的に支持された構成を実現することができる。
【００１６】
前記光源の各々に設けられ、前記光源の光出射側を覆うと共に、前記光源からの光を拡散する拡散レンズをさらに備えてもよい。
この構成によると、光源からの光が拡散レンズを通過することで、光源からの光が拡散されて指向性が緩和されるので、光源の数を減らした場合であっても、照明装置において所定の輝度を維持することができる。
【００１７】
本明細書で開示される技術は、上記の照明装置からの光を利用して表示を行う表示パネルと、を備える表示装置として表現することもできる。また、上記表示パネルを、液晶を用いた液晶パネルとする表示装置も、新規で有用である。また、上記の表示装置を備えるテレビ受信装置も、新規で有用である。
【発明の効果】
【００１８】
本明細書で開示される技術によれば、光源を別途配することなく、表示面の外周部における輝度ムラを防止ないし抑制可能な直下型の照明装置を提供することができる。
【図面の簡単な説明】
【００１９】
【図１】実施形態１に係るテレビ受信装置ＴＶの分解斜視図
【図２】液晶表示装置１０の分解斜視図
【図３】バックライト装置２４の平面図
【図４】図３におけるiv−iv断面の断面図であって、バックライト装置２４の長辺方向に沿った断面図
【図５】図３におけるv−v断面の断面図であって、バックライト装置２４の長辺方向に沿った断面図
【図６】図４において、立ち上がり部２０ｂ近傍を拡大した拡大断面図
【図７】図５において、立ち上がり部２０ｂ近傍を拡大した拡大平面図
【図８】実施形態２に係る液晶表示装置１１０の分解斜視図
【図９】バックライト装置２４４の平面図
【図１０】実施形態３に係る液晶表示装置２１０の分解斜視図
【図１１】バックライト装置２２４の平面図
【発明を実施するための形態】
【００２０】
＜実施形態１＞
図面を参照して実施形態１を説明する。本実施形態では、液晶表示装置１０について例示する。なお、各図面の一部にはＸ軸、Ｙ軸及びＺ軸を示しており、各軸方向が各図面で示した方向となるように描かれている。また、図２に示す上側を表側とし、同図下側を裏側とする。
【００２１】
（テレビ受信装置）
本実施形態に係るテレビ受信装置ＴＶは、図１に示すように、表示装置である液晶表示装置１０と、当該液晶表示装置１０を挟むようにして収容する表裏両キャビネットＣａ、Ｃｂと、電力供給のための電源回路基板Ｐと、テレビ画像信号を受信可能なチューナー（受信部）Ｔと、チューナーＴから出力されたテレビ画像信号を当該液晶表示装置１０用の画像信号に変換する画像変換回路基板ＶＣと、スタンドＳとを備えて構成される。
【００２２】
液晶表示装置１０は、全体として横長（長手）の方形状（矩形状）をなし、長辺方向を水平方向（Ｘ軸方向）と、短辺方向を垂直方向（Ｙ軸方向、鉛直方向）とそれぞれ一致させた状態で収容されている。この液晶表示装置１０は、図２に示すように、表示パネルである液晶パネル１６と、外部光源であるバックライト装置（照明装置の一例）２４とを備え、これらが枠状のベゼル１２などにより一体的に保持されるようになっている。
【００２３】
（液晶パネル）
液晶パネル１６は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２４】
（バックライト装置）
続いて、液晶表示装置１０におけるバックライト装置２４の構成について説明する。バックライト装置２４は、図２に示すように、略箱型をなすシャーシ２２と、光出射面側（液晶パネル１６側）を覆う形で配される光学部材１８と、シャーシ２２の外縁部に沿って配され、光学部材１８の外端部をシャーシ２２との間で挟んで保持するフレーム１４とを備える。さらに、シャーシ２２内には、図４及び図５に示すように、光学部材１８（液晶パネル１６）の直下となる位置に対向状に配されるＬＥＤ（光源の一例）２８と、ＬＥＤ２８が実装されたＬＥＤ基板３０と、ＬＥＤ基板３０においてＬＥＤ２８に対応した位置に取り付けられる拡散レンズ２７とが備えられる。このように、本実施形態に係るバックライト装置２４は、いわゆる直下型とされる。その上、シャーシ２２内には、光学部材１８を支持することが可能な支持部材２６と、シャーシ２２内の光を光学部材１８側に反射させる反射シート２０とが備えられる。続いて、バックライト装置２４の各構成物品について詳しく説明する。
【００２５】
（シャーシ）
シャーシ２２は、金属製とされ、図３から図５に示すように、液晶パネル１６と同様に横長の方形状（矩形状、長方形状）をなす底板（板状部の一例）２２ａと、底板２２ａの各辺（一対の長辺及び一対の短辺）の端辺からそれぞれ表側（光出射側）に向けて立ち上がる側板２２ｂとからなり、全体としては表側に向けて開口した浅い略箱型をなしている。シャーシ２２は、その長辺方向がＸ軸方向（水平方向）と一致し、短辺方向がＹ軸方向（鉛直方向）と一致している。シャーシ２２における各受け板２２ｃには、表側からフレーム１４及び次述する光学部材１８が載置可能とされる。各受け板２２ｃには、フレーム１４がねじ止めされている。シャーシ２２の底板２２ａには、支持部材２６を取り付けるための取付孔（図示せず）が開口して設けられている。取付孔は、底板２２ａにおいて支持部材２６の取付位置に対応して複数分散配置されている。
【００２６】
（光学部材）
光学部材１８は、図２に示すように、液晶パネル１６及びシャーシ２２と同様に平面に視て横長の方形状をなしている。光学部材１８は、図４及び図５に示すように、その外縁部が受け板２２ｃに載せられることで、ＬＥＤ２８の光出射側を覆うとともに、液晶パネル１６と拡散レンズ２７（ＬＥＤ基板３０）との間に介在して配される。光学部材１８は、裏側（拡散レンズ２７側、光出射側とは反対側）に配される拡散板１８ａと、表側（液晶パネル１６側、光出射側）に配される光学シート１８ｂとから構成される。拡散板１８ａは、所定の厚みを持つほぼ透明な樹脂製で板状をなす基材内に拡散粒子を多数分散して設けた構成とされ、透過する光を拡散させる機能を有する。光学シート１８ｂは、拡散板１８ａと比べると板厚が薄いシート状をなしており、２枚が積層して配されている。具体的な光学シート１８ｂの種類としては、例えば拡散シート、レンズシート、反射型偏光シートなどがあり、これらの中から適宜に選択して使用することが可能である。
【００２７】
（フレーム）
フレーム１４は、図２に示すように、液晶パネル１６及び光学シート１８ｂの外周縁部に沿う枠状をなしている。このフレーム１４と各受け板２２ｃとの間で光学部材１８における外縁部を挟持可能とされている（図４及び図５参照）。また、このフレーム１４は、液晶パネル１６における外縁部を裏側から受けることができ、表側に配されるベゼル１２との間で液晶パネル１６の外縁部を挟持可能とされる（図４及び図５参照）。
【００２８】
（ＬＥＤ）
ＬＥＤ２８は、ＬＥＤ基板（光源基板の一例）３０上に実装されるとともにＬＥＤ２８に対する実装面とは反対側の面が発光面となる、いわゆるトップ型とされる。ＬＥＤ２８は、発光源として青色光を発するＬＥＤチップ（図示しない）を備えるとともに、青色光により励起して発光する蛍光体として、緑色蛍光体と赤色蛍光体とを備えている。詳しくは、ＬＥＤ２８は、ＬＥＤ基板３０に固着される基板部上に例えばＩｎＧａＮ系の材料からなるＬＥＤチップを樹脂材により封止した構成とされる。基板部に実装されるＬＥＤチップは、主発光波長が４２０ｎｍ〜５００ｎｍの範囲、つまり青色の波長領域に存するものとされ、色純度に優れた青色光（青色の単色光）を発することが可能とされる。具体的なＬＥＤチップの主発光波長としては、例えば４５１ｎｍが好ましい。その一方、ＬＥＤチップを封止する樹脂材には、ＬＥＤチップから発せられた青色光により励起されることで緑色光を発する緑色蛍光体と、ＬＥＤチップから発せられた青色光により励起されることで赤色光を発する赤色蛍光体とが所定の割合でもって分散配合されている。これらＬＥＤチップから発せられる青色光（青色成分の光）と、緑色蛍光体から発せられる緑色光（緑色成分の光）と、赤色蛍光体から発せられる赤色光（赤色成分の光）とにより、ＬＥＤ２８は、全体として所定の色、例えば白色や青色味を帯びた白色などの光を発することが可能とされる。なお、緑色蛍光体からの緑色成分の光と、赤色蛍光体からの赤色成分の光との合成により黄色光が得られることから、このＬＥＤ２８は、ＬＥＤチップからの青色成分の光と、黄色成分の光とを併せ持っている、とも言える。このＬＥＤ２８の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ２８の色度を調整することが可能とされる。なお、本実施形態では、緑色蛍光体は、５００ｎｍ以上５７０ｎｍ以下の緑色波長領域に主発光ピークを有するものとされ、赤色蛍光体は、６００ｎｍ以上７８０ｎｍ以下の赤色波長領域に主発光ピークを有するものとされる。
【００２９】
（ＬＥＤ基板）
ＬＥＤ基板３０は、平面視方形状をなす基材を有しており、一方の辺の方向がＸ軸方向と一致し、他方の辺の方向がＹ軸方向と一致する状態でシャーシ２２内において底板２２ａに沿って延在しつつ収容されている。このＬＥＤ基板３０の基材の板面のうち、表側を向いた面（光学部材１８側を向いた面）には、ＬＥＤ２８が表面実装されている。ＬＥＤ２８は、その発光面が光学部材１８（液晶パネル１６）と対向状をなすとともに、その光軸がＺ軸方向、つまり液晶パネル１６の表示面と直交する方向と一致している。ＬＥＤ２８は、ＬＥＤ基板３０における一方の辺の方向（Ｘ軸方向）及び他方の辺の方向（Ｙ軸方向）に沿って複数が並列して配されるとともに、ＬＥＤ基板３０に形成された配線パターン（図示しない）により直列接続されている。各ＬＥＤ２８の配列ピッチは、ほぼ一定となっており、つまり各ＬＥＤ２８は、ほぼ等間隔に配列されていると言える。
【００３０】
上記した構成のＬＥＤ基板３０に実装されたＬＥＤ２８は、シャーシ２２内において共にＸ軸方向（シャーシ２２の長辺方向）を行方向とし、Ｙ軸方向（シャーシ２２の短辺方向）を列方向として行列状に配置（マトリクス状に配置、平面配置）されている。また、ＬＥＤ基板３０の基材は、シャーシ２２と同じアルミ系材料などの金属製とされ、その表面に絶縁層を介して銅箔などの金属膜からなる上述した配線パターン（図示せず）が形成され、さらには最外表面には、光の反射性に優れた白色を呈する反射層（図示せず）が形成された構成とされる。この配線パターンによりＬＥＤ基板３０上に並列配置された各ＬＥＤ２８同士が直列に接続されている。なお、ＬＥＤ基板３０の基材に用いる材料としては、セラミックなどの絶縁材料を用いることも可能である。
【００３１】
（拡散レンズ）
拡散レンズ２７は、ほぼ透明で（高い透光性を有し）且つ屈折率が空気よりも高い合成樹脂材料（例えばポリカーボネートやアクリルなど）からなる。拡散レンズ２７は、図６及び図７に示すように、所定の厚みを有するとともに、平面に視て略円形状に形成されており、ＬＥＤ基板３０に対して各ＬＥＤ２８を表側から個別に覆うよう、つまり平面に視て各ＬＥＤ２８と重畳するようそれぞれ取り付けられている。詳しくは、この拡散レンズ２７は、平面に視てＬＥＤ２８とほぼ同心となる位置に配されている。このため、拡散レンズ２７もまた、シャーシ２２内において行列状に配置された構成となっている。拡散レンズ２７は、平面視円形の平板状をなす基部２７ａと、扁平な半球状をなす半球部２７ｂとを備えている。拡散レンズ２７の周縁部近傍には、軸状の３つの支持足３１が基部２７ａの裏側から突設されている。３つの支持足３１は平面視で拡散レンズ２７の中心部（ＬＥＤ２８と重畳する部位）から等間隔となる位置に配置されており、例えば接着剤や熱硬化性樹脂等によりＬＥＤ基板３０の表面に接着されている。拡散レンズ２７は、支持足３１によってＬＥＤ基板３０の表面に支持されている。そして、この拡散レンズ２７は、ＬＥＤ２８から発せられた指向性の強い光を拡散させつつ出射させることができる。つまり、ＬＥＤ２８から発せられた光は、拡散レンズ２７を介することにより指向性が緩和されるので、隣り合うＬＥＤ２８間の間隔を広くとってもその間の領域が暗部として視認され難くなる。これにより、ＬＥＤ２８の設置個数を少なくすることが可能となっている。
【００３２】
（支持部材）
支持部材２６について説明する。支持部材２６は、ポリカーボネートなどの合成樹脂製とされており、表面が光の反射性に優れた白色を呈する。支持部材２６は、図４に示すように、ＬＥＤ基板３０の板面に沿う本体部２６ａと、本体部２６ａから裏側、つまりシャーシ２２側に向けて突出してシャーシ２２に固定される固定部２６ｂと、本体部２６ａから表側に突出する支持ピン２６ｃと、を備える。本体部２６ａは、平面に視て略円形状の板状をなすとともに、シャーシ２２の底板２２ａとの間で少なくともＬＥＤ基板３０を挟持可能とされる。固定部２６ｂは、ＬＥＤ基板３０及びシャーシ２２の底板２２ａにおける支持部材２６の取付位置に対応してそれぞれ形成された挿通孔及び取付孔を貫通しつつ底板２２ａに対して係止可能とされる。支持ピン２６ｃは、光学部材１８（直接的には拡散板１８ａ）を裏側から支持することが可能とされ、それによりＬＥＤ２８と光学部材１８とのＺ軸方向の位置関係を一定に維持することができるとともに光学部材１８の不用意な変形を規制することができる。なお、支持部材２６は、本体部２６ａとシャーシ２２の底板２２ａとの間でＬＥＤ基板３０と共に反射シート２０の底部２０ａを挟持している。
【００３３】
（反射シート）
反射シート２０は、合成樹脂製とされ、表面が光の反射性に優れた白色を呈する反射面とされる。反射シート２０は、図３に示すように、シャーシ２２の内面のほぼ全域にわたって敷設される大きさを有しているので、シャーシ２２内に並列して配された全ＬＥＤ基板３０を表側から一括して覆うことが可能とされる。この反射シート２０によりシャーシ２２内の光を光学部材１８側に向けて効率的に立ち上げることができる。反射シート２０は、シャーシ２２の底板２２ａに沿って延在するとともに底板２２ａの大部分を覆う大きさの底部２０ａと、底部２０ａの短辺側の外端及び底部２０ａの長辺側の外端からそれぞれ表側に立ち上がり、底部２０ａに対して傾斜状をなすとともに、プラスチック製とされた立ち上がり部２０ｂと、立ち上がり部２９ｂの外端から外向きに延出するとともにシャーシ２２の受け板２２ｃに載せられる延出部２０ｃとから構成されている。この反射シート２０の底部２０ａが各ＬＥＤ基板３０における表側の面、つまりＬＥＤ２８の実装面に対して表側になるよう配される。また、反射シート２０の底部２０ａには、各拡散レンズ２７（各ＬＥＤ２８）と平面視重畳する位置に各拡散レンズ２７（各ＬＥＤ２８）を挿通する平面視円形をなす光源挿通孔２０ｄが開口して設けられている。
【００３４】
（本実施形態の要部に係る構成についての説明）
続いて、本実施形態の要部である、反射シート２０の立ち上がり部２０ｂの構成について詳しく説明する。上述したように、各拡散レンズ２７（各ＬＥＤ２８）は平面視において底部２０ａ上に行列状に配されているから、各拡散レンズ２７（各ＬＥＤ２８）のうち最外周に配された拡散レンズ２７（ＬＥＤ２８）はそれぞれ立ち上がり部２０ｂと隣接するものとなっている（図３参照）。そして、本実施形態では、これらの最外周に配された拡散レンズ２７（ＬＥＤ２８）の斜め方向側に位置する（図３における一点鎖線Ｂと交差する）立ち上がり部２０ｂ（以下、第２立ち上がり部２０ｂ２と称する）の傾斜角度が、最外周に配された拡散レンズ２７（ＬＥＤ２８）の行方向側又は列方向側に位置する（図３における一点鎖線Ａと交差する）立ち上がり部２０ｂ（以下、第１立ち上がり部２０ｂ１と称する）の傾斜角度よりも大きなものとされている。なお、ここでいう傾斜角度とは、シャーシ２２の底板２２ａ（又は底板２２ａと平行とされたＬＥＤ基板３０の板面）に対して各立ち上がり部２０ｂ１、２０ｂ２の傾斜面がなす鋭角をいい、第１立ち上がり部２０ｂ１においては図６に示す角度θ１を、第２立ち上がり部２０ｂ２においては図７に示す角度θ２をそれぞれ指しており、本実施形態では、θ１＜θ２の関係が成立している。
【００３５】
また、底部２０ａと立ち上がり部２０ｂとの間の境界線２０ｅは、図３に示すように、平面視において波線状をなしている。そして、図６に示すように、底部２０ａと第１立ち上がり部２０ｂ１との間の境界線２０ｅと、シャーシ２２の底板２２ａの端縁と、の間の距離をＷ３とし、底部２０ａと第２立ち上がり部２０ｂ２との間の境界線２０ｅと、シャーシ２２の底板２２ａの端縁と、の間の距離をＷ２としたときに、本実施形態では、Ｗ３＞Ｗ２の関係が成立している。このため、第１立ち上がり部２０ｂ１と第２立ち上がり部２０ｂ２との間で傾斜角度が異なるものとされていても、第１立ち上がり部２０ｂ１の先端２０ｆ１（延出部２０ｃとの境界線）と第２立ち上がり部２０ｂ２の先端２０ｆ２（延出部２０ｃとの境界線）は一致するものとなっている（図６参照）。なお、境界線２０ｅと底板２２ａの端縁との間の距離は、図３に示すように、底板２２ａの四隅における境界線２０ｅと底板２２ａの端縁との間の距離Ｗ１が最も小さいものとされている。
【００３６】
さて、上記のように、反射シート２０の立ち上がり部２０ｂが、傾斜角度が異なる第１立ち上がり部２０ｂ１と第２立ち上がり部２０ｂ２によって構成されていることにより、例えば、最外周に配された拡散レンズ２７の基部２７ａから出射された光のうちその拡散レンズ２７（ＬＥＤ２８）の行方向側又は列方向側に位置する第１立ち上がり部２０ｂ１に向かった光は、図６における一点鎖線で示すような軌跡で第１立ち上がり部２０ｂ１によって反射され、光学部材１８を介して液晶パネル１６側に向かうこととなる。一方、最外周に配された拡散レンズ２７の基部２７ａから出射された光のうちその拡散レンズ２７（ＬＥＤ２８）の斜め方向側に位置する第２立ち上がり部２０ｂ２に向かった光は、第２立ち上がり部２０ｂ２の傾斜角度が第１立ち上がり部２０ｂ１よりも大きいことから、図７における一点鎖線で示すように、第２立ち上がり部２０ｂ２によって反射部位からそのほぼ直上へと反射される。このため、第２立ち上がり部２０ｂ２によって反射されて液晶パネル１６側へと向かう光は、第１立ち上がり部２０ｂ１によって反射されて液晶パネル１６側へと向かう光よりも反射に伴う光量の減少が少なく、液晶パネル１６の表示面における輝度の低下が少ないものとなる。従って、液晶パネル１６の表示面の端部において、最外周に配されたＬＥＤ２８（拡散レンズ２７）の斜め方向側と重畳する部位と最外周に配されたＬＥＤ２８（拡散レンズ２７）の行方向側及び列方向側と重畳する部位との間で、輝度の差が生じ難い構成となっている。
【００３７】
以上のように本実施形態に係るバックライト装置２４では、最外周に配されたＬＥＤ２８（拡散レンズ２７）の斜め方向側では、立ち上がり部２０ｂ２の傾斜角度が大きいことから、立ち上がり部２０ｂ２によって反射される光がその直上へ向かうものとなる。これにより、液晶パネル１６の表示面において最外周に配されたＬＥＤ２８（拡散レンズ２７）の斜め方向側と重畳する部位の輝度を向上させることができる。その結果、液晶パネル１６の表示面の端部において、最外周に配されたＬＥＤ２８（拡散レンズ２７）の斜め方向側と重畳する部位と最外周に配されたＬＥＤ２８（拡散レンズ２７）の行方向側及び列方向側と重畳する部位との間における輝度の差が軽減されるので、ＬＥＤ２８を別途配することなく、液晶パネル１６の表示面の外周部における輝度ムラを防止ないし抑制することができる。
【００３８】
また、本実施形態に係るバックライト装置２４では、シャーシ２２の底板２２ａの端部に別途ＬＥＤ２８を配しなくとも、液晶パネル１６の表示面の外周部における輝度の差が軽減されるので、部材コストや製造コストが嵩むことなく、液晶パネル１６の表示面の端部における輝度ムラを防止ないし抑制することができる。
【００３９】
また、本実施形態に係るバックライト装置２４では、反射シート２０が、平面視において、最外周に配されたＬＥＤ２８（拡散レンズ２７）の行方向側又は列方向側に位置する底部２０ａと立ち上がり部２０ｂとの間の境界線２０ｄが、最外周に配されたＬＥＤ２８（拡散レンズ２７）の斜め方向側に位置する底部２０ａと立ち上がり部２０ｂとの間の境界線２０ｄよりも、境界線２０ｄと底板２２ａの端縁との間の距離が大きいものとされている。このため、傾斜角度が大きな立ち上がり部２０ｂ１と傾斜角度が小さな立ち上がり部２０ｂ２との間で立ち上がり先端２０ｆ１、２０ｆ２を一致させることができ、バックライト装置２４を設計し易いものとなっている。
【００４０】
また、本実施形態に係るバックライト装置２４では、底板２２ａの四隅において、底部２０ａと立ち上がり部２０ｂとの間の境界線２０ｄと底板２２ａの端縁との間の距離Ｗ１が最も小さいものとされている。このため、底板２２ａの四隅における反射シート２０の具体的な形状が実現されている。
【００４１】
また、本実施形態に係るバックライト装置２４では、反射シート２０の立ち上がり部２０ｂがプラスチック製とされている。このため、傾斜角度が異なる立ち上がり部２０ｂ１、２０ｂ２を成形し易いものとすることができるとともに、立ち上がり部２０ｂの剛性を高めることができる。
【００４２】
また、本実施形態に係るバックライト装置２４は、底板２２ａの端縁からＬＥＤ２８（拡散レンズ２７）の光出射側（表側）に立ち上がる側板２２ｂと、側板２２ｂの立ち上がり先端側に配された拡散板１８ａと、ＬＥＤ基板３０上に配され、底板２２ａとＬＥＤ基板３０と反射シート２０とを貫通するとともに、その先端が拡散板１８ａと当接して拡散板１８ａを支持する支持ピン２６と、をさらに備えている。これにより、拡散板１８ａによってＬＥＤ２８（拡散レンズ２７）からの光を光出射側に効果的に拡散させることができるとともに、支持ピン２６によって拡散板１８ａが効果的に支持された構成を実現することができる。
【００４３】
また、本実施形態に係るバックライト装置２４は、ＬＥＤ２８の各々に設けられ、ＬＥＤ２８の光出射側を覆うと共に、ＬＥＤ２８からの光を拡散する拡散レンズ２７をさらに備えている。このため、ＬＥＤ２８からの光が拡散レンズ２７を通過することで、ＬＥＤ２８からの光が拡散されて指向性が緩和されるので、ＬＥＤ２８の数を減らした場合であっても、バックライト装置２４において所定の輝度を維持することができる。
【００４４】
＜実施形態２＞
図面を参照して実施形態２を説明する。実施形態２は、反射シート１２０の立ち上がり部１２０ｂの形状が実施形態１のものと異なっている。その他の構成については実施形態１のものと同様であるため、構造、作用、及び効果の説明は省略する。なお、図８、図９において、それぞれ図２、図３の参照符号に数字１００を加えた部位は、実施形態１で説明した部位と同一である。
【００４５】
実施形態２に係るバックライト装置１２４では、図８及び図９に示すように、反射シート１２０における底部１２０ａと立ち上がり部１２０ｂとの間の境界線１２０ｅが平面視において凹凸状とされた形状となっている。そして、立ち上がり部１２０ｂが、傾斜角度が異なる第１立ち上がり部１２０ｂ１と第２立ち上がり部１２０ｂ２によって構成されている。立ち上がり部１２０ｂがこのような形状とされていることで、境界線１２０ｅが平面視において波線状等とされる場合に比して境界線１２０ｅが直線状となるので、反射シート１２０を設計し易いものとすることができ、さらに、反射シート１２０を成形し易いものとすることができる。
【００４６】
＜実施形態３＞
図面を参照して実施形態３を説明する。実施形態３は、反射シート２２０の立ち上がり部２２０ｂの形状が実施形態１のものと異なっている。その他の構成については実施形態１のものと同様であるため、構造、作用、及び効果の説明は省略する。なお、図１０、図１１において、それぞれ図２、図３の参照符号に数字２００を加えた部位は、実施形態１で説明した部位と同一である。
【００４７】
実施形態３に係るバックライト装置２２４では、図１０及び図１１に示すように、反射シート２２０における底部２２０ａと立ち上がり部２２０ｂとの間の境界線２２０ｅが平面視において台形状の凹凸とされた形状となっている。立ち上がり部２２０ｂがこのような形状とされている場合であっても、境界線２２０ｅが平面視において波線状等とされる場合に比して境界線２２０ｅが直線状となるので、反射シート２２０を設計し易いものとすることができ、さらに、反射シート２２０を成形し易いものとすることができる。
【００４８】
上記の各実施形態の変形例を以下に列挙する。
（１）上記の各実施形態では、反射シートの立ち上がり部の第１立ち上がり部及び第２立ち上がり部の傾斜角度に言及していないが、両者の傾斜角度は限定されるものではない。傾斜角度はＬＥＤの指向特性等に応じて調整することが好ましい。
【００４９】
（２）上記の各実施形態では、反射シートにおける底部と立ち上がり部との間の境界線が平面視において凹凸状、台形状、とされた構成を例示したが、境界線の形状は限定されない。
【００５０】
（３）上記の各実施形態では、反射シートの立ち上がり部がプラスチック製とされた構成を例示したが、立ち上がり部を構成する材料は限定されない。
【００５１】
（４）上記の各実施形態では、ＬＥＤの光出射側の各々が拡散レンズによって覆われている構成を例示したが、拡散レンズが配されていない構成であってもよい。このような場合、最外周に配された光源の斜め方向側と重畳する部位と最外周に配された光源の行方向側及び列方向側と重畳する部位との間における輝度の差が大きいので、本実施形態における輝度ムラの防止ないし抑制効果が好適なものとなる。
【００５２】
（５）上記の各実施形態以外にも、反射シートの立ち上がり部の形状、材料等については、適宜に変更可能である。
【００５３】
（６）上記の各実施形態では、表示パネルとして液晶パネルを用いた液晶表示装置を例示したが、他の種類の表示パネルを用いた表示装置にも本発明は適用可能である。
【００５４】
（７）上記の各実施形態では、チューナーを備えたテレビ受信装置を例示したが、チューナーを備えない表示装置にも本発明は適用可能である。
【００５５】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【００５６】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５７】
ＴＶ…テレビ受信装置、Ｃａ、Ｃｂ…キャビネット、Ｔ…チューナー、ＶＣ…画像変換回路基板、Ｓ…スタンド、１０…液晶表示装置、１２、１１２、２１２…ベゼル、１４、１１４、２１４…フレーム、１６、１１６、２１６…液晶パネル、１８、１１８、２１８…光学部材、２０、１２０、２２０…反射シート、２０ａ、１２０ａ、２２０ａ…底部、２０ｂ、１２０ｂ、２２０ｂ…立ち上がり部、２０ｂ１、１２０ｂ１、２２０ｂ１…第１立ち上がり部、２０ｂ２、１２０ｂ２、２２０２ｂ…第２立ち上がり部、２２、１２２、２２２…シャーシ、２２ａ、１２２ａ、２２２ａ…底板、２４、１２４、２２４…バックライト装置、２６、１２６、２２６：支持部材、２７、１２７、２２７…拡散レンズ、２８、１２８、２２８…ＬＥＤ、３０、１３０、２３０…ＬＥＤ基板、３１…支持足
【図１】
0005662952.tif 000002
【図２】
0005662952.tif 000003
【図３】
0005662952.tif 000004
【図４】
0005662952.tif 000005
【図５】
0005662952.tif 000006
【図６】
0005662952.tif 000007
【図７】
0005662952.tif 000008
【図８】
0005662952.tif 000009
【図９】
0005662952.tif 000010
【図１０】
0005662952.tif 000011
【図１１】
0005662952.tif 000012